(57)【要約】  本明細書の記載は、型枠（１１）を組み立てるために使用され、かつ少なくとも１つの横材（３）から構成されるスペーサコネクタ（１）に関し、前記横材（３）はその反対側端部の両方において、かかる型枠（１１）の少なくとも１つのパネル（１０）との接続を形成するのに適した少なくとも１つの各接続部分（５）と接続され、前記スペーサコネクタ（１）がまた、２つの各端部開口（１５）を特徴とする少なくとも１つの蒸散ダクトを含み、前記端部開口（１５）のそれぞれが前記各接続部分（５）に通じている。本明細書の記載はまた、前記スペーサコネクタ（１）を含む型枠システムに関する。【選択図】図２
2014502685.tif 000002
【特許請求の範囲】
【請求項１】
少なくとも１つの横材（３）から構成された可変形状スペーサコネクタ（１）であって、前記横材（３）が、その反対側端部の両方で、型枠（１１）の少なくとも１つのパネル（１０）との接続を形成するのに適した少なくとも１つの各接続部分（５）と接続されている可変形状スペーサコネクタ（１）において、前記可変形状スペーサコネクタ（１）がまた、２つの各端部開口（１５）を特徴とする少なくとも１つの蒸散ダクトを含み、前記端部開口（１５）のそれぞれが前記各接続部分（５）に通じ、前記蒸散ダクトに、前記端部開口（１５）間に存在する差圧を支持して作動するのに適した少なくとも１つの逆止装置が装備されていることを特徴とする、可変形状スペーサコネクタ（１）。
【請求項２】
請求項１に記載のスペーサコネクタ（１）において、前記蒸散ダクトが前記接続部分（５）の間で前記横材（３）を通って延びるパイプ（１７）から少なくともなることを特徴とする、スペーサコネクタ（１）。
【請求項３】
請求項２に記載のスペーサコネクタ（１）において、前記パイプ（１７）の各端部が、前記パネル（１０）の対応する形状部（２３）に嵌合するのに適した少なくとも１つの追加ロックイン形状部（２１）を接続するために使用される少なくとも１つのねじ（１９）を特徴とし、前記ロックイン形状部（２１）のそれぞれに、前記蒸散ダクトの前記各端部開口（１５）と対応する少なくとも１つの貫通穴（２５）が装備されていることを特徴とする、スペーサコネクタ（１）。
【請求項４】
請求項１に記載のスペーサコネクタ（１）において、前記蒸散ダクトが、前記ダクトの１つの第１半部（４１）を本質的に含む少なくとも１つの第１仕切壁（３９）から構成され、前記第１仕切壁（３９）が、少なくとも１つのヒンジ機構（４９）を間に配置することによって、前記ダクトの１つの第２半部（４５）を本質的に含む１つの第２仕切壁（４３）と接続されることを特徴とする、スペーサコネクタ（１）。
【請求項５】
請求項１に記載のスペーサコネクタ（１）において、前記仕切壁（３９、４３）が、少なくとも１つの逆止弁（４７）を収容するのに適したウェルを特徴とすることを特徴とする、スペーサコネクタ（１）。
【請求項６】
請求項１に記載のスペーサコネクタ（１）において、前記スペーサコネクタ（１）が、前記横材（３）に沿って水平方向にまたは垂直方向に互いに接続可能な少なくとも２つの半部（１ａおよび１ｂ）からなることを特徴とする、スペーサコネクタ（１）。
【請求項７】
請求項６に記載のスペーサコネクタ（１）において、前記半部（１ａおよび１ｂ）の両方の内側が中空であることを特徴とする、スペーサコネクタ（１）。
【請求項８】
請求項１に記載のスペーサコネクタ（１）において、前記スペーサコネクタ（１）が、少なくとも前記横材（３）の内側に配置された少なくとも１つの金属コアを含むことを特徴とする、スペーサコネクタ（１）。
【請求項９】
請求項１に記載のスペーサコネクタ（１）において、前記パイプ（１７）が金属から作製されることを特徴とする、スペーサコネクタ（１）。
【請求項１０】
請求項８又は９に記載のスペーサコネクタ（１）において、前記スペーサコネクタ（１）が、少なくとも１５０．００ｃｍに本質的に等しい長さにおいて、１．２５の（センチメートルによる）倍数に本質的に等しい長さを特徴とすることを特徴とする、スペーサコネクタ（１）。
【請求項１１】
請求項１に記載のスペーサコネクタ（１）において、前記横材（３）が少なくとも１本の補強鉄材（１３）を収容するのに適した少なくとも１つのハウジング座部（９）を特徴とし、前記ハウジング座部（９）が好ましくは互いに２．５ｃｍのピッチで配置されることを特徴とする、スペーサコネクタ（１）。
【請求項１２】
請求項１１に記載のスペーサコネクタ（１）において、前記スペーサコネクタ（１）が、前記補強鉄材の２．５ｃｍの倍数測定で開始することによって、垂直方向および水平方向の両方で拘束された位置決めを提供することを特徴とする、スペーサコネクタ（１）。
【請求項１３】
請求項１乃至１２の何れか一項に記載のスペーサコネクタ（１）において、前記スペーサコネクタ（１）が、いくつかの前記コネクタ（１）を互いに直列に接続するために、前記接続部分（５）の前記接続手段に対応するように成形されたモジュール式接続要素（４８）を含み、前記モジュール式接続要素（４８）が、互いに接続される前記スペーサコネクタ（１）の前記蒸散ダクトに対応する少なくとも１つの内側チャネルを特徴とすることを特徴とする、スペーサコネクタ（１）。
【請求項１４】
請求項１乃至１３のいずれか一項に記載のスペーサコネクタ（１）において、前記接続部分（５）に、少なくとも１つの各除去可能フィン（４７）が備えられ、前記除去可能フィン（４７）は切込み線（４８）に沿って前記接続部分（５）から取り除くことができることを特徴とする、スペーサコネクタ（１）。
【請求項１５】
請求項１に記載のスペーサコネクタ（１）において、前記コネクタ（１）が、前記パネル（１０）間の各接合線における騒音の遮断を保証するために、互いに挿入され、および／またはダブテールにより互いに一体化される、互いに異なる材料から作製すらされた、複数のパネル（１０）を一体に接合するのに適することを特徴とする、スペーサコネクタ（１）。
【請求項１６】
モジュール式蒸散性熱−音響「使い捨て」型枠（１１）を作製するためのモジュール式構成システムにおいて、前記システムが、請求項１〜１４に記載のパネル（１０）およびスペーサコネクタ（１）を含み、前記パネル（１０）が前記スペーサコネクタ（１）を間に配置することによって互いに接続され、前記パネル（１０）のそれぞれに、複数のロックイン形状部（２７）が備え付けられ、ロックイン形状部（２７）のそれぞれが各形状部（２３）と（必要であれば）連結され、前記スペーサコネクタ（１）の前記接続手段を、および必要であればその前記追加ロックイン形状部（２１）を挿入することを可能にするのに適していることを特徴とする、モジュール式構成システム。
【請求項１７】
請求項１６に記載の構成システムにおいて、２つまたはいくつかの前記スペーサコネクタ（１）が、対応する接続形状部（３３）を間に配置することによって、それぞれのおよび向き合う前記接続手段の間で接続されることを特徴とする、構成システム。
【請求項１８】
請求項１６に記載の構成システムにおいて、２つまたはいくつかの前記パネル（１０）が、対応する接続形状部（３５）を間に配置することによって平面的に互いに接続され、前記接続形状部（３５）が前記パネル（１０）の対応する前記ロックイン形状部（２７）を満たすことを特徴とする、構成システム。
【発明の詳細な説明】
【技術分野】
【０００１】
本発明は、特にコンクリート注型単一体セパレータを作製するための型枠を組み立てるために使用される可変形状スペーサコネクタに関し、およびそのようなコネクタを含むモジュール型枠システムに関する。
【０００２】
型枠は鉄筋コンクリート建物を建てるために建築および建設業界で使用される顕著な構造物である。型枠は、補強鉄材が適切に位置付けられたあと、液状のコンクリートが流し込まれるケーシングを提供し、コンクリートは、凝結プロセスが完了し、流し込まれたコンクリートが、一旦固化状態が始まり、型枠自体が取り外された直後に構造物が耐えなければならない応力の吸収を保証するような機械的強度を得た後までケーシング中に存在する。
【０００３】
型枠はいくつかの材料から作製可能である。特に、断熱コンクリート型枠（ＩＣＦ：Ｉｎｓｕｌａｔｅｄ  Ｃｏｎｃｒｅｔｅ  Ｆｏｒｍ）と一般に呼ばれる技法を用いて作製されるポリスチレン発泡パネルから、およびそれらの各スペーサコネクタから構成される型枠が現在利用可能であり、それらは、鉄筋コンクリート壁の遮蔽用の型および／または型枠を構成する様々な前述のパネルの組立ておよび内部ブロックに必要な使い捨て可能な物品である。結果として、既存のスペーサコネクタは、別個の、予め打抜かれた（ｐｒｅ−ｓｔａｍｐｅｄ）金属要素またはプラスチック要素（すなわちＰＶＣまたはＰＰ）、およびパネル自体と一緒に打抜かれた要素の両方であり得る。そのようなスペーサコネクタは、国際公開００５８５７７号パンフレットに記載されている。
【０００４】
しかしながら、既存のスペーサコネクタおよびそれらの各既存型枠システムには、なおもいくつかの問題がある。実際に、スペーサコネクタと一緒にパネルが打抜かれる型枠システムは、輸送の観点で見てたいへん非効率的であることが分かっている。その理由は、それらは、大幅に枝分かれし、かつさらに大部分が空隙から構成される幾何学的形状によって作られる非常に大きい全体体積を特徴とするからである。
【０００５】
この問題を改善するため、壁のみを建てるための型枠システムが提案され、当該システムは、ポリスチレン発泡パネルと別個のスペーサコネクタとから構成され、それらは、型枠自体が、１０から始まる１５−２０−２５−３０ｃｍの５つの階級に分けられる公知の中空を特徴とするにもかかわらず、（分解されたあと）より小さい全体寸法を達成し、かつまた輸送および取扱い費用を最小化することを可能にする。当然、追加の鉄筋コンクリートがそのような中空に打設され得る。
【０００６】
米国の製造業者らによって供給される断熱コンクリート型枠（Ｉｎｓｕｌａｔｅｄ  Ｃｏｎｃｒｅｔｅ  Ｆｏｒｍ）（またはＩＣＦ）として知られる、ポリスチレン発泡パネルを特徴とする全ての「使い捨て」型枠システムにはまた蒸散の問題があり、それは、特に民生用建物の場合、ＳＢＳ（シックビルディング症候群）のよく知られる原因をもたらし得る鉄筋コンクリート構造物の建築につながる可能性がある。
【０００７】
さらに、ポリスチレン発泡パネルを特徴とする型枠システム（ＩＣＦ）にはなお、それらが適切に騒音を遮断することができないので、防音の問題がある。
【０００８】
さらに、ＩＣＦ工法を適用することにより建てられた「使い捨て」型枠内に配置される公知のスペーサコネクタは、１０ｃｍを起点として、５の倍数によって３０ｃｍの最大長さに到達する標準長さを特徴とする。そのような最大長さは、そのようなコネクタの貧弱な構造強度によって決定される。これは、互いに向き合いかつＩＣＦ型枠を構成する２つのパネル間の幅が３０ｃｍを超えなければならない場合、いくつかのコネクタを、適切な「接合ブライドル」を用いて、入れ子式に直列に互いに結合することを強制し得る。
【０００９】
さらに、ＩＣＦ工法を適用することにより建てられた「使い捨て」型枠内に配置される公知のスペーサコネクタは、完全に拘束されていないにもかかわらず、補強鉄材を水平方向に３０ｃｍ刻みでのみ位置付けることを保証し得る−スペーサコネクタは、スペーサコネクタが耐用年数要件および耐火性規格に準拠する組積造を完成するために国際技術規格に定められるような均質な棒材のカバーを保証しない範囲まで、そのような鉄材の拘束されない垂直の位置付けを可能にし得る。
【００１０】
従って、本発明の目的は、特に蒸散性熱−音響「使い捨て」型枠を組み立てるために使用されるスペーサコネクタであって、そのような蒸散性熱−音響「使い捨て」型枠を構成する内側パネルさらに構造的コンクリートセパレータと外側パネルとの間の蒸散を容易にすることを可能し得る少なくとも１つの蒸散ダクトを備えたスペーサコネクタを提供することによって、旧式の方法に関連する上述の問題を解決することである。
【００１１】
本発明の別の目的の一つは、例えば２．５０ｃｍの測定倍数および１．２５ｃｍの測定約数で得られる、少なくとも１５０．００ｃｍの長さでスペーサコネクタが製造および使用されることを可能にし得るような構造強度を特徴とするスペーサコネクタを提供することであり、実際にそのようなコネクタの長さにおいて制約はない。
【００１２】
本発明の別の目的の一つは、（可能であれば）完全に網状の幅広い補強を、そのようなグリッドの測定上の制約なしに形成するような方法で、補強鉄材を水平方向および垂直方向において完全に拘束して位置付けることを可能にし得るスペーサコネクタを提供することである。
【００１３】
本発明の別の目的の一つは、ポリスチレン発泡パネルおよびスペーサコネクタを含む蒸散性熱−音響「使い捨て」型枠に関連するシステムを提供することであり、スペーサコネクタのそれぞれには少なくとも１つの蒸散ダクトが備えられ、その結果、それらが前記パネルの内側と外側の間でそのような型枠内の均質な蒸散グリッドを形成し得るようにする。
【００１４】
さらに、本発明の別の目的の一つは、好ましくは押出ポリスチレンおよび／またはポリスチレン発泡パネル、ならびにスペーサコネクタを含む蒸散性熱−音響「使い捨て」型枠に関連するシステムを提供することであり、スペーサコネクタのそれぞれには少なくとも１つの蒸散ダクトが備えられ、その結果、システムが蒸散性熱−音響「使い捨て」型枠自体のより良い防音性を達成するために、（異なる材料で作製されてさえいる）いくつかのそのようなパネルの重なった接続をでき得るようにする。
【００１５】
以後の記載において詳述されるような本発明の上記のおよび他の目的および利点は、蒸散性熱−音響「使い捨て」型枠とともに使用される可変形状スペーサコネクタの使用により達成され得、そのようなスペーサコネクタは請求項１の記載において具現化される。
【００１６】
さらに、以後の記載において詳述されるような本発明の上記のおよび他の目的および利点は、全てのその構成要素および／または要素のモジュール設計を特徴とする型枠システムの使用により達成され得、そのようなモジュール式型枠システムは請求項１３の記載において具現化される。
【００１７】
本発明の好ましい実施形態の設計および最初の変形形態は、関連請求項の目的であり得る。
【００１８】
当然のことながら、本発明の保護の範囲から逸脱することなく、添付の請求項中で参照されるような、多数の変形形態および修正形態を記載の物品に対して作ることができる（例えば、形状および寸法、ならびに等価機能を実行する装置および部品に関連する変形形態および修正形態）。
【００１９】
本発明はいくつかの好ましい実施形態により、最も良く記載され得る。好ましい実施形態は、添付の図面を参照して、例として、かつ限定せずに提供され得る。
【図面の簡単な説明】
【００２０】
【図１】図１は、本発明に従うスペーサコネクタの好ましい実施形態の上面斜視図を示す。
【図２】図２は、図１に示されるタイプの複数のスペーサコネクタを含む、本発明に従う蒸散性熱−音響「使い捨て」型枠に関連するシステムの一部分の斜視図を示す。
【図３】図３は、図１に示されるタイプの複数のスペーサコネクタを含む、本発明に従う蒸散性熱−音響「使い捨て」型枠に関連するシステムの上面図を示す。
【図４】図４は、本発明に従うコネクタおよび／またはスペーサの別の好ましい実施形態の上面斜視図を示す
【図５】図５は、図４に示されるタイプのスペーサコネクタを含む、組立段階中の、本発明に従う蒸散性熱−音響「使い捨て」型枠に関連するシステムの詳細な上面斜視図を示す。
【図６】図６は、本発明中参照されるスペーサコネクタの別の好ましい一実施形態を含む、本発明に従う蒸散性熱−音響「使い捨て」型枠に関連するシステムの上面図を示す。
【図７】図７は、本発明の好ましい変形形態に従って組み立てられた、本発明中参照される複数のスペーサコネクタを含む、本発明に従う蒸散性熱−音響「使い捨て」型枠に関連するシステムの上面図を示す。
【図８】図８は、本発明中参照されるスペーサコネクタの別の好ましい一実施形態の上面斜視図を示す。
【図９】図９は、本発明中参照されるスペーサコネクタの別の好ましい一実施形態の上面図を示す。
【図１０】図１０は、本発明中参照されるスペーサコネクタの別の好ましい一実施形態の正面斜視図を示す。
【図１１】図１１は、本発明中参照されるスペーサコネクタのさらに好ましい一実施形態の正面斜視図を示す。
【図１２】図１２は、可能な組立構造にある、本発明に従う蒸散性熱−音響「使い捨て」型枠に関連するシステムの上面図を示す。
【図１３】図１３は、別の可能な組立構造にある、本発明に従う蒸散性熱−音響「使い捨て」型枠に関連するシステムの上面斜視図を示す。
【図１４】図１４は、さらなる可能な一組立構造にある、本発明に従う型枠システムの上面斜視図を示す。
【図１５】図１５は、本発明中参照されるスペーサコネクタの好ましい実施形態の上面斜視図を示す。
【図１６】図１６は、本発明中参照されるコネクタの好ましい構成変形形態を（例として、限定せずに）示す。
【図１７】図１７は、本発明中参照されるコネクタの好ましい構成変形形態を（例として、限定せずに）示す。
【図１８】図１８は、本発明中参照されるコネクタの好ましい構成変形形態を（例として、限定せずに）示す。
【図１９】図１９は、本発明中参照されるコネクタの好ましい構成変形形態を（例として、限定せずに）示す。
【図２０】図２０は、本発明中参照されるコネクタの好ましい構成変形形態を（例として、限定せずに）示す。
【００２１】
図面を参照することによって、以下のことを理解することができる。すなわち、本発明中参照される可変形状スペーサコネクタ１は、少なくとも１つの横材３から構成され、かかる横材３はその２つの両端部で、蒸散性熱−音響「使い捨て」型枠１１の少なくとも１つのパネル１０との接続を形成するのに適した少なくとも１つの各接続部分５と接続される。
【００２２】
生産的に、本発明中参照されるスペーサコネクタ１はまた、２つの各端部開口１５を特徴とする少なくとも１つの蒸散ダクトを含み得、端部開口の各々は各接続部分５に通じている。そのような蒸散ダクトは従って、パネル１０（それらの間に本発明中参照されるスペーサコネクタ１が配置される）を接続し、かつまた上記の端部開口１５間ではっきり見出される差圧のせいで、特に内側パネルから外側パネルに向かうそのようなパネル１０の間の蒸散を可能にするのに適している。さらに、蒸散ダクトには、少なくとも１つの逆止装置４７（例えば逆止弁など）が装備されてもよく、逆止装置は、上記の差圧を支持して作動し、かつまた本発明中参照されるスペーサコネクタ１を用いて蒸散プロセスおよび飽和蒸気の放出の効率を高めるのに適している。
【００２３】
図１〜４で理解できるように、蒸散ダクトは、好ましくは接続部分５の間を横材３を通って延びる少なくとも１つのパイプ１７から構成され得る。
【００２４】
さらに、特に図６から理解できるように、そのようなパイプ１７の各端部は、少なくとも１つのねじ１９を特徴とし得、ねじ１９を介して、少なくとも１つの追加のロックイン形状部２１（一般に「ブライドル」と呼ばれる）が接続可能であり、前記ロックイン形状部は、本質的に「Ｔ」および／または「Ｈ」のように成形された形状部のような部分を特徴とし、かつ本発明中参照されるスペーサコネクタ１によって提供される引張強さを増強するためにパネル１０の対応する形状部２３に嵌め込まれるのに適している。前記ロックイン形状部２１のそれぞれはまた、蒸散ダクトの各端部開口１５に対応する少なくとも１つの貫通穴２５を特徴とする。
【００２５】
代替策として、図１０および１１から理解できるように、蒸散ダクトは少なくとも１つの第１仕切壁３９から構成されてもよく、第１仕切壁はかかるダクトの１つの第１半部４１を本質的に含み、間に少なくとも１つのヒンジ機構４９を配置することによって、ダクト自体の第２半部４５を本質的に含む１つの第２仕切壁４３に接続される。この好ましい変形形態は、蒸散ダクトを構成する構成部品３９および４３を１つの単一打抜き工程によって作製することが可能であり得るので、本発明中参照されるスペーサコネクタ１を製造するプロセスをかなり簡単にすることを生産的に可能にし得る。実際に、その後、組立段階の間、蒸気または凝縮液の流出に対して、スムーズな蒸散ダクトを得るために第２仕切壁３９を第１仕切壁４３に対して閉鎖することは十分であり得る。さらに、上述の変形形態はまた、蒸散ダクトを実装する仕切壁に沿って、逆止弁を収容するのに適したウェルを作製し、かつ第２仕切壁４３を第１仕切壁３９に対して閉鎖する前に弁自体を位置付けることを可能にし得る。本発明中参照されるスペーサコネクタ１がプラスチック材料から作製される場合、そのようなプラスチック材料をネッキング（ｎｅｃｋｉｎｇ）する単なる線の形態でヒンジ機構を生産的に実現することができる。
【００２６】
さらに、補強鉄材１３の正確な位置決めを可能にするために、接続部分５に少なくとも１つの各除去可能なフィン４７が装備されてもよく、具体的には、除去可能フィン４７は、一旦前記ロックイン形状部５がパネル自体の各ロックイン形状部に挿入されると、蒸散性熱−音響「使い捨て」型枠１１のパネル１０に沿ってスペーサコネクタ１の位置決めの高さを変えるように、かつまたスペーサコネクタ１が高い正確度まで高さ方向に位置付けられることが可能になるように、切込み線４８に沿って分断することによって、接続部分５から除去することができる。
【００２７】
当然、蒸散性熱−音響「使い捨て」型枠１１のパネル１０間で得られる幅に応じて、本発明中参照されるいくつかのスペーサコネクタ１を、例により図１１に示されるように、所望の長さが得られるまで、例えば各接続部分５の各接続手段に対応するように適切に成形されたモジュール接続要素４８を使用して、互いに直列に接続することができる。そのようなモジュール接続要素４８にはまた、互いに接続された様々なスペーサコネクタ１の蒸散ダクトに対応し、かつ互いに接続されたコネクタ１のかかるダクト間に連続性をもたらすのに適した少なくとも１つの内側チャネルが好ましくは装備される。
【００２８】
当然、接続部分５には、任意の１つの接続手段が装備されてもよく、それは例えば、本明細書中参照されるスペーサコネクタ１を、本発明の保護の範囲から逸脱することなく、関連工学分野でも知られる任意の１つのパネル１０の対応するロックイン形状部２７と接続することを可能にし得る少なくとも１つのダブテール形状部７などの機械的接続手段または任意の１つのロックイン形状部である。特に、ダブテール形状部７の量および配置は、ほとんど変わることができることにも留意されたい。実際に、例としてのみ図面は限定することなく多数の代替例を示し、その中では、ダブテール形状部７の量、寸法および形状は変化する（例えば、図１のスペーサコネクタ１の接続部分５の１つの雄型物品；図４のスペーサコネクタ１の接続部分５の２つの雄型物品；図６のスペーサコネクタ１の接続部分５の２つの雌型物品）。
【００２９】
特に、横材３には、少なくとも１つの補強鉄材１３を収容するのに適した少なくとも１つのハウジング座部９が装備されてもよい。当然、そのような座部の量および配置は、本発明の保護の範囲から逸脱することなく、ほとんど変わってもよい。実際に、なおも例のみによって、図面は限定せずに多数の代替例を示し、図面中、ハウジング座部９の量および配置は変わる。そのようなハウジング座部９は、互いに２．５ｃｍのピッチで好ましくは配置されるべきであり、その結果、補強鉄材１３を前記ピッチに従って水平に配置することができる。さらに、特に図１３から理解できるように、スペーサコネクタ１は、補強鉄材１３を垂直方向にも拘束して位置付けることを可能にし、その結果、（関連の国際規格およびＵＮＩ規格に従って用意されたもののような）電気溶接された金属メッシュと同様の幅広い補強を達成することができる。
【００３０】
本発明中参照されるスペーサコネクタ１を、目的に適した任意の１つの材料−具体的には、ポリプロピレンなどのプラスチック材料（タルクでも充填される）または他の材料から、それに限定することなく作製できることも明白である。さらに、またも当然のことながら、本発明中参照されるスペーサコネクタ１を、構成部品の全てが１つの単一材料から作製される１つの単一部品として、および互いに異なる材料から作製される、互いに別個の、後で組み立てられる部品として、の両方で、本発明の保護の範囲から逸脱することなく、作製可能である。
【００３１】
さらに、本発明中参照されるスペーサコネクタ１を、少なくとも２つの半部（１ａおよび１ｂ）で構成してもよく、２つの半部は、異なる材料から作製されてもよく、かつ組立て式スペーサコネクタ１を構成するために、例えば、（必要であれば）プラスチックブライドル（不図示）で補強された適切なロックイン形状部２９を用いて、（図８および９で例として示されるように）水平または垂直に、横材３に沿って互いに接続できる。さらに、前述の半部１ａおよび１ｂが、（必要であればモータ駆動可能な）通気装置を収容することができる内側キャビティを特徴としてもよいことが予測され得る。これら変形形態は、以下の利点を得ることを可能にする：
−各部品１ａおよび１ｂの可能な可逆性、
−より小さい輸送時全体体積、
−横材３に沿って得られる特別座部の内側のパイプ１７の簡単な設置。
【００３２】
さらに、本発明中参照されるスペーサコネクタ１の長さは、好ましくは１．２５の倍数（センチメートルによる）であり、本発明中参照されるスペーサコネクタ１の好ましい長さは従って、例えば１．２５ｃｍ、２．５０ｃｍ、３．７５ｃｍ、５．００ｃｍなどであり得る。少なくとも１つの金属コア（不図示）を、少なくとも横材３に嵌め込むことが生産的に可能であり、そのような金属コアは、本発明中参照されるスペーサコネクタ１によって提供される引張強度および剛性をさらに高めるのに適している。代替として、または追加的に、スペーサコネクタ１をなおも構造的に補強するために、パイプ１７は好ましくは金属から作製される。金属コアおよび／または金属パイプ１７の存在により、限定せずに、少なくとも１５０．００ｃｍの長さを特徴とする（本発明中参照されるような）必要な構造的信頼性のあるスペーサコネクタ１を作製および使用することが生産的に可能になり得る。
【００３３】
本発明中参照されるコネクタ１の（図１５に示される）代替実施形態で理解できるように、蒸散ダクトを含むパイプが目的に適した構造強度を特徴とする材料から作製される場合、パイプ自体が横材３の機能を実行し得る。ここでまた、パイプ／横材３の各端部には、少なくとも１つのねじが備えられてもよく、このねじによって、スペーサコネクタ１をパネル１０の各形状部に挿入できるようにするために、「Ｔ」および／または「Ｈ」のように本質的に成形される形状のような部分を特徴とする少なくともロックイン形状部（５１）を接続することができる。
【００３４】
さらに、本発明は、任意の１つの材料から作製されたパネル１０および上述したもののようなスペーサコネクタ１を含むモジュール式蒸散性熱−音響「使い捨て」型枠１１を作製する動的構成システムに関する。特に、図面を参照することによって、本発明中参照される動的構成システムは、間に前記スペーサコネクタ１を配置することによって互いに接続される、好ましくはポリウレタンおよび／またはポリウレタン発泡型の少なくとも２つのパネル１０を含むことを理解することができる。従って、各パネル１０には、好ましくは、複数のロックイン形状部２７が装備され、それらの各々は、各形状部２３と（必要であれば）結合され、そのようなロックイン形状部２７は、接続手段を、およびまた必要であれば、本発明中参照されるスペーサコネクタ１の、（例により図４および５に示されるような）追加ロックイン形状部２１の接続手段を挿入可能とするのに適している。パネル１０のロックイン形状部１３、２７の量および配置、ならびに蒸散性熱−音響「使い捨て」型枠１１を作製するために使用されるスペーサコネクタ１の量および配置は、音響および熱性能の両方に関連する様々な特定構成要件に完全に適合するために、生産的にほとんど変えることができることに留意されたい。さらに、各パネル１０には、関連工学分野で共通して知られるような、積層によっていくつかのパネル１０自体と係合することを可能にするのに適した複数の係合歯部３７が装備されてもよい。
【００３５】
また、例のみによって、および図７の例を参照することによって、蒸散性熱−音響「使い捨て」型枠１１に面するパネル１０間に配置される空間は、そのようなパネル間に本発明中参照される２つまたはいくつかのスペーサコネクタ１をただ配置することによって変えることができ、例えば前記パネルは、各（および向き合う）接続手段間で、間に対応する接続形状部３３を配置することによって接続され、後者の形状部は、例えば、そのようなスペーサコネクタ１自体の接続部分５に見出される（もしあれば）ダブテール形状部７と対応するように適切に成形されることに留意されたい。
【００３６】
さらに、特に図１２および１４で理解できるように、本発明中参照されるシステムは、蒸散性熱−音響「使い捨て」型枠１１の壁厚を増し、かつまたそのようなパネル１０間の接合線に沿った騒音の遮断性を増大するために、２つまたはいくつかのパネル１０を、同じ層、もし必要であれば、異なる材料（例えば、木、ＭＤＦ、れんが、粉砕された破片、石、コンクリートウッド（ｃｏｎｃｒｅｔｅ  ｗｏｏｄ）、気泡コンクリートなど）から作製された他の層５０間に配置することによって、互いに平面的に接続することを可能にする。ここでまた、いくつかのパネルは、対応する接続形状部３５を間に配置することによって、平面的に互いに接続されてもよく、その接続形状部はパネル１０自体の対応するロックイン形状部２７を満たす。
【００３７】
本発明中参照されるモジュール式構成システムは、従って、スペーサコネクタ１およびパネル１０を使用することによって、以下の利点を得ることを可能にし得る。
−任意の一形態を特徴とし、かつ任意の一建築構造、すなわち、最も変化する単一の組積造形状の土台、および／または一方向性および双方向性ロフトおよび一方向性および双方向性単一体スラブを建てるための蒸散性熱−音響「使い捨て」型枠１１を作製する際の最善のモジュール設計、
−スペーサコネクタ１の蒸散ダクト間の協働、およびパネル１０間の接合線により作られる水平および垂直蒸散グリッドの形成、
−英語表現“フラット型  ＩＣＦ）として知られる工法に特有な型枠の使用に代わる、結果として非単一体のビームネットワーク構造を得る打設を可能にし得る蒸散性熱−音響「使い捨て」型枠１１を作製する可能性。
【００３８】
図１６〜２０は、本発明中参照されるコネクタ１の好ましい変形形態を（これらに限定しないで）示す。
【図１】
2014502685.tif 000003
【図２】
2014502685.tif 000004
【図３】
2014502685.tif 000005
【図４】
2014502685.tif 000006
【図５】
2014502685.tif 000007
【図６】
2014502685.tif 000008
【図７】
2014502685.tif 000009
【図８】
2014502685.tif 000010
【図９】
2014502685.tif 000011
【図１０】
2014502685.tif 000012
【図１１】
2014502685.tif 000013
【図１２】
2014502685.tif 000014
【図１３】
2014502685.tif 000015
【図１４】
2014502685.tif 000016
【図１５】
2014502685.tif 000017
【図１６】
2014502685.tif 000018
【図１７】
2014502685.tif 000019
【図１８】
2014502685.tif 000020
【図１９】
2014502685.tif 000021
【図２０】
2014502685.tif 000022
【国際調査報告】
2014502685.tif 000023
2014502685.tif 000024